(57)【要約】【課題】位置合わせすることなくパネルを支持体に固定することができ、しかも構成が簡単なデッキのパネル固定構造を提供する。【解決手段】脚部材１１１の上に形成される支持体２にパネル５１を固定するデッキ１のパネル固定構造において、上記パネル５１からパネル５１の周囲の空間に出現するようにパネル５１の下面に回動可能に設けられた止め板４ａを備え、上記止め板４ａは、パネル５１が支持体２に敷設された状態でパネル５１の周囲の空間に出現したときにその出現した側に存在する第２フレーム１４１Ｃ又は中間フレーム１４１ｅに下方から係合する位置に設けられている。【選択図】図１０
2016044443.tif 000002
【特許請求の範囲】
【請求項１】
脚部材の上に形成される支持体にパネルを固定するデッキのパネル固定構造であって、
上記パネルからパネルの周囲の空間に出現するようにパネルの下面に回動可能に設けられた止め板を備え、
上記止め板は、パネルが支持体に敷設された状態でパネルの周囲の空間に出現したときにその出現した側に存在する支持体構成部材に下方から係合する位置に設けられていることを特徴とするデッキのパネル固定構造。
【請求項２】
請求項１に記載のデッキのパネル固定構造において、
上記支持体は、脚部材の上に載置され、相互に平行に延びる複数の大引と、大引の上面に結合され、大引同士を連結する連結部材とを備え、
上記パネルは、上記大引と連結部材とで形成される矩形状の区画領域を被覆可能な床板部材と、床板部材の下面に設けられ、上記大引の上面に載置される台部材とを備え、
上記止め板は、上記台部材の下面に設けられ、台部材の周囲の空間に出現したときに上記連結部材の下面に係合することを特徴とするデッキのパネル固定構造。
【請求項３】
請求項２に記載のデッキのパネル固定構造において、
上記止め板は、上記連結部材の下面に係合した状態で大引の側面に近接又は当接することにより回動が規制されることを特徴とするデッキのパネル固定構造。
【請求項４】
請求項１から３のいずれか１項に記載のデッキのパネル固定構造において、
上記止め板は、その回動軸の周囲のみで上方に盛り上がった盛り上げ部を有することを特徴とするデッキのパネル固定構造。
【請求項５】
請求項４に記載のデッキのパネル固定構造において、
上記止め板は、回動時に上記支持体構成部材の下方に位置する部位に上方に突出して当該支持体構成部材の下面に接触する凸部を有することを特徴とするデッキのパネル固定構造。
【発明の詳細な説明】
【技術分野】
【０００１】
本発明は、デッキにおけるパネルの固定構造に関する。
【背景技術】
【０００２】
住宅等の建物に設けられるデッキは、施工地盤に脚部材を立設し、脚部材の上に大引を配設し、大引の上に根太を配設して、大引と根太とで格子状の支持体を形成し、この支持体の上にパネルを敷設して床板を形成し、支持体及び床板の周縁部に化粧板としての幕板を取り付けたものである。
【０００３】
支持体に敷設したパネルを安全等のため支持体に固定する構造として、特許文献１には、パネルに設けたロックバーを支持体に形成したロック穴に係脱自在に嵌入するロック機構が記載されている。
【先行技術文献】
【特許文献】
【０００４】
【特許文献１】特許第３８０３９６７号公報（特に図７、図８）
【発明の概要】
【発明が解決しようとする課題】
【０００５】
上記特許文献１のロック機構では、パネル側のピンと支持体側の穴との位置合わせが必要となる。また、部品点数が多くなり、重量増・コスト増を招く。
【０００６】
そこで、本発明は、位置合わせすることなくパネルを支持体に固定することができ、しかも構成が簡単なデッキのパネル固定構造の提供を目的とする。
【課題を解決するための手段】
【０００７】
上記課題を解決するためのものとして、本発明は、脚部材の上に形成される支持体にパネルを固定するデッキのパネル固定構造であって、上記パネルからパネルの周囲の空間に出現するようにパネルの下面に回動可能に設けられた止め板を備え、上記止め板は、パネルが支持体に敷設された状態でパネルの周囲の空間に出現したときにその出現した側に存在する支持体構成部材に下方から係合する位置に設けられていることを特徴とすることを特徴とする。
【０００８】
本発明によれば、止め板をパネルに回動可能に設けるだけで、パネルを支持体に敷設し、止め板をパネルの周囲の空間に出現するように回動すれば、止め板が支持体構成部材に下方から係合してパネルが支持体に固定される。これにより、位置合わせすることなくパネルを支持体に固定することができ、しかも構成が簡単なデッキのパネル固定構造が提供される。
【０００９】
本発明においては、上記支持体は、脚部材の上に載置され、相互に平行に延びる複数の大引と、大引の上面に結合され、大引同士を連結する連結部材とを備え、上記パネルは、上記大引と連結部材とで形成される矩形状の区画領域を被覆可能な床板部材と、床板部材の下面に設けられ、上記大引の上面に載置される台部材とを備え、上記止め板は、上記台部材の下面に設けられ、台部材の周囲の空間に出現したときに上記連結部材の下面に係合することが好ましい。
【００１０】
この構成によれば、パネルを大引の上面に載置し、台部材の下面に設けた止め板を連結部材の側に回動すれば、止め板が連結部材の下面に係合してパネルが支持体に固定される。
【００１１】
本発明においては、上記止め板は、上記連結部材の下面に係合した状態で大引の側面に近接又は当接することにより回動が規制されることが好ましい。
【００１２】
この構成によれば、止め板が回動し過ぎて連結部材の下面との係合が外れることが既存の大引を利用して防止できる。
【００１３】
本発明においては、上記止め板は、その回動軸の周囲のみで上方に盛り上がった盛り上げ部を有することが好ましい。
【００１４】
この構成によれば、止め板とパネルないし支持体構成部材との摩擦が低減され、止め板が円滑に回動する。
【００１５】
本発明においては、上記止め板は、回動時に上記支持体構成部材の下方に位置する部位に上方に突出して当該支持体構成部材の下面に接触する凸部を有することが好ましい。
【００１６】
この構成によれば、止め板と支持体構成部材との係合の緩みが抑制される。
【発明の効果】
【００１７】
本発明によれば、位置合わせすることなくパネルを支持体に固定することができ、しかも構成が簡単なデッキのパネル固定構造が提供されるから、重量増・コスト増を抑制しつつ、現場での省施工性と安全性とに優れたデッキが得られる。
【図面の簡単な説明】
【００１８】
【図１】本発明の実施形態に係るデッキの斜視図である。
【図２】図１の状態から幕板及び床板を取り除いた状態を示す斜視図である。
【図３】上記デッキで用いられる脚部材の斜視図である。
【図４】上記デッキで用いられる第１支持ユニットの斜視図である。
【図５】上記デッキで用いられる第２支持ユニットの斜視図である。
【図６】上記デッキで用いられる第３支持ユニットの斜視図である。
【図７】上記デッキで用いられるパネルの（ａ）は側面図、（ｂ）は平面図である。
【図８】上記パネルの左前下方からの斜視図である。
【図９】上記デッキの左前コーナー部の左前下方からの斜視図である。
【図１０】（ａ）は図９の符号（ア）で示す固定機構の下方からの一部破断の拡大図、（ｂ）は図１０（ａ）の矢印Ａによる断面図である。
【発明を実施するための形態】
【００１９】
（１）構成
図１及び図２に示すように、本実施形態に係るデッキ１は、施工地盤Ｇに立設された複数（本実施形態では１６）の脚部材１１１と、脚部材１１１の上に形成された格子状の支持体２と、支持体２の上に形成された床板３と、支持体２及び床板３の周縁部に取り付けられた化粧板としての幕板６１，６２（デッキ１の側面に取り付けられる平幕板６１及びコーナー部に取り付けられるコーナー幕板６２）とを有する。なお、図示しないが、図面上、左上の領域に住宅が建っており、デッキ１の住宅側は幕板６１，６２が不要なので取り付けられていない。図中のＬは左を示し、Ｆは前を示す。
【００２０】
（１−１）脚部材
脚部材１１１は、図３に示すように、施工地盤Ｇと接する基部１１１ａと、上下方向に延びる四角柱状の支持部１１１ｂとを含む。支持部１１１ｂは、基部１１１ａに対して螺合しており、回転することにより高さ調節が可能である。
【００２１】
（１−２）支持体
支持体２は、図４に示す第１支持ユニット１２１と、図５に示す第２支持ユニット１３１と、図６に示す第３支持ユニット１４１とを含む。
【００２２】
第１支持ユニット１２１は、相互に平行に延びる一対の第１フレーム１２１Ａ，１２１Ｂと、相互に平行に延びる一対の第２フレーム１２１Ｃ，１２１Ｃとで、平面視矩形状に形成される。
【００２３】
一方の第１フレーム１２１Ａは、断面ロ字状の大引部１２１ａと、大引部１２１ａの上面に立設された根太部１２１ｄと、大引部１２１ａの下面に垂設された一対のフランジ部１２１ｆとを備える。大引部１２１ａの下面とフランジ部１２１ｆとで形成される断面コ字状の受け部１１２に脚部材１１１の支持部１１１ｂの上端部が嵌入される。大引部１２１ａの上面のうち根太部１２１ｄよりもユニット内方側の部分は、後述するパネル５１の台部材５３が載置される段部１２１ｘを形成する。
【００２４】
他方の第１フレーム１２１Ｂは、断面ロ字状の大引部１２１ｂと、大引部１２１ｂの上面に立設された根太部１２１ｄと、大引部１２１ｂの下面に垂設された単一のフランジ部１２１ｆとを備える。大引部１２１ｂの上面のうち根太部１２１ｄよりもユニット内方側の部分は、パネル５１の台部材５３が載置される段部１２１ｘを形成する。この第１フレーム１２１Ｂの大引部１２１ｂの幅は、上記第１フレーム１２１Ａの大引部１２１ａの幅の略半分である。そのため、図４に拡大図示したように、第１フレーム１２１Ａの段部１２１ｘの幅は比較的広いのに対し、第１フレーム１２１Ｂの段部１２１ｘの幅は比較的狭くなっている。第１フレーム１２１Ａの段部１２１ｘの幅は、そこに載置されるパネル５１の台部材５３の幅と略同じに設定されている。
【００２５】
第２フレーム１２１Ｃは断面Ｌ字に形成され、Ｌ字の長辺がユニット内方側に位置し、短辺が大引部１２１ａ，１２１ｂの段部１２１ｘに結合される。
【００２６】
第１フレーム１２１Ａ，１２１Ｂの長さ方向中央部に、断面コ字状の中間フレーム１２１ｅが架設される。中間フレーム１２１ｅは大引部１２１ａ，１２１ｂの段部１２１ｘに結合される。中間フレーム１２１ｅにより、平面視で略正方形状の区画領域Ｒが２つ形成される。
【００２７】
第２フレーム１２１Ｃ及び中間フレーム１２１ｅは第１フレーム１２１Ａ，１２１Ｂ同士を連結する。
【００２８】
第２支持ユニット１３１は、相互に平行に延びる一対の第１フレーム１３１Ｂ，１３１Ｂと、相互に平行に延びる一対の第２フレーム１３１Ｃ，１３１Ｃとで、平面視矩形状に形成される。
【００２９】
第１フレーム１３１Ｂは、それぞれ、上記第１支持ユニット１２１の他方の第１フレーム１２１Ｂに類似して、断面ロ字状の大引部１３１ｂと、大引部１３１ｂの上面に立設された根太部１３１ｄと、大引部１３１ｂの下面に垂設された単一のフランジ部１３１ｆとを備える。大引部１３１ｂの上面のうち根太部１３１ｄよりもユニット内方側の部分は、パネル５１の台部材５３が載置される段部１３１ｘを形成する。第１フレーム１３１Ｂの段部１３１ｘの幅は、上記第１支持ユニット１２１の第１フレーム１２１Ｂの段部１２１ｘの幅と略同じに設定されている（つまり比較的狭くなっている）。
【００３０】
第２フレーム１３１Ｃは断面Ｌ字に形成され、Ｌ字の長辺がユニット内方側に位置し、短辺が大引部１３１ｂの段部１３１ｘに結合される。
【００３１】
第１フレーム１３１Ｂの長さ方向中央部に、断面コ字状の中間フレーム１３１ｅが架設される。中間フレーム１３１ｅは大引部１３１ｂの段部１３１ｘに結合される。中間フレーム１３１ｅにより、平面視で略正方形状の区画領域Ｒが２つ形成される。
【００３２】
第２フレーム１３１Ｃ及び中間フレーム１３１ｅは第１フレーム１３１Ｂ，１３１Ｂ同士を連結する。
【００３３】
第３支持ユニット１４１は、相互に平行に延びる一対の第１フレーム１４１Ａ，１４１Ｂと、相互に平行に延びる一対の第２フレーム１４１Ｃ，１４１Ｃとで、平面視矩形状に形成される。
【００３４】
一方の第１フレーム１４１Ａは、断面ロ字状の大引部１４１ａと、大引部１４１ａの上面に立設された根太部１４１ｄと、大引部１４１ａの下面に垂設された一対のフランジ部１４１ｆとを備える。大引部１４１ａの下面とフランジ部１４１ｆとで形成される断面コ字状の受け部１１２に脚部材１１１の支持部１１１ｂの上端部が嵌入される。大引部１４１ａの上面のうち根太部１４１ｄよりもユニット内方側の部分は、パネル５１の台部材５３が載置される段部１４１ｘを形成する。
【００３５】
他方の第１フレーム１４１Ｂは、断面ロ字状の大引部１４１ｂと、大引部１４１ｂの上面に立設された根太部１４１ｄと、大引部１４１ｂの下面に垂設された単一のフランジ部１４１ｆとを備える。大引部１４１ｂの上面のうち根太部１４１ｄよりもユニット内方側の部分は、パネル５１の台部材５３が載置される段部１４１ｘを形成する。この第１フレーム１４１Ｂの大引部１４１ｂの幅は、上記第１フレーム１４１Ａの大引部１４１ａの幅の略半分である。そのため、第１フレーム１４１Ａの段部１４１ｘの幅は比較的広いのに対し、第１フレーム１４１Ｂの段部１４１ｘの幅は比較的狭くなっている。第１フレーム１４１Ａの段部１４１ｘの幅は、そこに載置されるパネル５１の台部材５３の幅と略同じに設定されている。
【００３６】
第２フレーム１４１Ｃは断面Ｌ字に形成され、Ｌ字の長辺がユニット内方側に位置し、短辺が大引部１４１ａ，１４１ｂの段部１４１ｘに結合される。
【００３７】
第１フレーム１４１Ａ，１４１Ｂの長さ方向中央部に、断面コ字状の中間フレーム１４１ｅが架設される。中間フレーム１４１ｅは大引部１４１ａ，１４１ｂの段部１４１ｘに結合される。中間フレーム１４１ｅにより、平面視で略正方形状の区画領域Ｒが２つ形成される。
【００３８】
第２フレーム１４１Ｃ及び中間フレーム１４１ｅは第１フレーム１４１Ａ，１４１Ｂ同士を連結する。
【００３９】
脚部材１１１の上で、３つの第１支持ユニット１２１…１２１、３つの第２支持ユニット１３１…１３１、及び３つの第３支持ユニット１４１…１４１がそれぞれ直列に配置され、さらに相互に並列に配置されることにより、複数の支持ユニット１２１，１３１，１４１が全体として１つの格子状の支持体２を形成する（図２参照）。
【００４０】
なお、以上において、各支持ユニット１２１，１３１，１４１の大引部１２１ａ，１２１ｂ，１３１ｂ，１４１ａ，１４１ｂは、本発明の「大引」に相当し、段部１２１ｘ，１３１ｘ，１４１ｘは、本発明の「大引の上面」に相当し、第２フレーム１２１Ｃ，１３１Ｃ，１４１Ｃ及び中間フレーム１２１ｅ，１３１ｅ，１４１ｅは、本発明の「支持体構成部材」及び「連結部材」に相当する。
【００４１】
（１−３）床板
床板３は、図７に示すパネル５１が支持体２の上に複数敷設されたものである。パネル５１は、床板部材５２と、床板部材５２の下面に設けられた一対の台部材５３とを含む。
【００４２】
床板部材５２は、３つの矩形状の床板構成部材５２ａが連結されて平面視で略正方形状に形成されたものである。床板部材５２の縦の長さ（床板構成部材５２ａの連結方向の長さ）Ｌ１及び横の長さ（床板構成部材５２ａの長手方向の長さ）Ｌ２は、床板部材５２が支持体２の区画領域Ｒを被覆可能な値に設定されている。
【００４３】
台部材５３は、床板部材５２の横の長さＬ２方向に所定の間隔Ｌ４で相互に離間し、床板部材５２の縦の長さＬ１方向にそれぞれ延びるように配置されている。台部材５３の長さＬ３及び上記間隔Ｌ４は、台部材５３が支持体２の区画領域Ｒ内で大引部１２１ａ，１２１ｂ，１３１ｂ，１４１ａ，１４１ｂの段部１２１ｘ，１３１ｘ，１４１ｘに載置可能な値に設定されている。
【００４４】
ここで、床板部材５２の縦の長さＬ１は台部材５３の長さＬ３よりも所定量大きい値に設定され（Ｌ１＞Ｌ３）、床板部材５２の横の長さＬ２は上記間隔Ｌ４よりも所定量大きい値に設定されている（Ｌ２＞Ｌ４）。そのため、パネル５１が支持体２の区画領域Ｒに嵌め込まれたとき、床板部材５２の周縁部が、第１フレーム１２１Ａ，１２１Ｂ，１３１Ｂ，１４１Ａ，１４１Ｂの根太部１２１ｄ，１３１ｄ，１４１ｄ、及び第２フレーム１２１Ｃ，１３１Ｃ，１４１ＣのＬ字の長辺よりもユニット外方に突出する。
【００４５】
台部材５３の高さＨは、支持体２の根太部１２１ｄ，１３１ｄ，１４１ｄ、第２フレーム１２１Ｃ，１３１Ｃ，１４１Ｃ、及び中間フレーム１２１ｅ，１３１ｅ，１４１ｅの高さよりも若干高い値に設定されている。
【００４６】
パネル５１が支持体２の区画領域Ｒに１つずつ嵌め込まれることにより、床板部材５２が支持体２の上面に敷き詰められ、この敷き詰められた複数（本実施形態では１８）の床板部材５２が全体として１つの床板３を形成する（図１参照）。
【００４７】
（１−４）固定機構
本実施形態では、図７及び図８に示すように、パネル５１の台部材５３の下面に、支持体２に敷設された当該パネル５１を安全等のために支持体２に固定するための固定機構４が設けられる。
【００４８】
本実施形態では、図１に示したように、床板部材５２の縦の長さＬ１がデッキ１の長手方向に沿うようにパネル５１が支持体２の上に敷設される。また、図７に関して上側が前側とした場合、パネル５１はその前側をデッキ１の左側に向けて敷設される（図８参照）。このとき、パネル５１の台部材５３は、図９に示すように、各支持ユニット１２１，１３１，１４１の第１フレーム１２１Ａ，１２１Ｂ，１３１Ｂ，１４１Ａ，１４１Ｂ（大引部１２１ａ，１２１ｂ，１３１ｂ，１４１ａ，１４１ｂ）に沿って延び、その状態で、台部材５３は、各支持ユニット１２１，１３１，１４１の段部１２１ｘ，１３１ｘ，１４１ｘに長手方向を一致させて載置される。
【００４９】
前述したように、第１支持ユニット１２１及び第３支持ユニット１４１においては、第１フレーム１２１Ａ，１４１Ａの段部１２１ｘ，１４１ｘの幅がパネル５１の台部材５３の幅と略同じに設定されている。そのため、上記段部１２１ｘ，１４１ｘ（図１及び図２において支持体２の最前列の段部及び最後列の段部）に載置される台部材５３は、その下面が大引部１２１ａ，１４１ａからはみ出さない。これに対し、それ以外の段部、すなわち、第１支持ユニット１２１及び第３支持ユニット１４１の第１フレーム１２１Ｂ，１４１Ｂの段部１２１ｘ，１４１ｘ、及び第２支持ユニット１３１の第１フレーム１３１Ｂの段部１３１ｘは、比較的狭いため、上記段部１２１ｘ，１３１ｘ，１４１ｘ（図１及び図２において支持体２の内方側の計４列の段部）に載置される台部材５３は、その下面が大引部１２１ｂ，１３１ｂ，１４１ｂからユニット内方側にはみ出す。
【００５０】
固定機構４は、パネル５１の台部材５３の下面において、上記大引部１２１ｂ，１３１ｂ，１４１ｂからユニット内方側にはみ出す部分に設けられる。すなわち、第１支持ユニット１２１に敷設されるパネル５１では、固定機構４は、図７（ｂ）に関して右の台部材５３には設けられず、左の台部材５３の下面のパネル内方側にのみ設けられる。また、第２支持ユニット１３１に敷設されるパネル５１では、固定機構４は、図７（ｂ）に関して左右双方の台部材５３の下面のパネル内方側に設けられる。また、第３支持ユニット１４１に敷設されるパネル５１では、固定機構４は、図７（ｂ）に関して左の台部材５３には設けられず（図８に符号（イ）及び（ウ）で示した固定機構４は設けられず）、右の台部材５３の下面のパネル内方側にのみ設けられる。つまり、図７及び図８は、第２支持ユニット１３１に敷設されるパネル５１を例示する。
【００５１】
固定機構４は、パネル５１に対してなるべく対称的に設けられる。つまり、一方の台部材５３にのみ設けられる場合は、台部材５３の両端部に計２つ設けられ、双方の台部材５３に設けられる場合は、各台部材５３の両端部に計４つ設けられる。
【００５２】
固定機構４の構成を図９に符号（ア）で示した固定機構４（パネル５１の前側に配置された固定機構４）を例にして説明する。図１０に示すように、固定機構４は、平板状の止め板４ａを有する。止め板４ａは、ビス４ｂにより、台部材５３の下面と平行な面内で回動自在に設けられる。すなわちビス４ｂは止め板４ａの回動軸を構成する。
【００５３】
止め板４ａは、台部材５３の下面と対向する面（上面）に、盛り上げ部４ｃと、緩み止め用凸部４ｄとを備える。盛り上げ部４ｃは、ビス（回動軸）４ｂの周囲のみで上方に所定高さ台形状に盛り上がった部分である。盛り上げ部４ｃの存在により、止め板４ａは、台部材５３の下面から所定の間隔離間して（浮き上がって）回動するので、台部材５３との摩擦が低減される。
【００５４】
緩み止め用凸部４ｄは、止め板４ａの回動端部側（反回動軸側）に配置された上方に突出する突起である。緩み止め用凸部４ｄは、盛り上げ部４ｃよりも高さが高く、そのため、止め板４ａが台部材５３の下方に退避している状態（図７、図８、及び図１０に示す状態）において、台部材５３の下面を上方に押圧している。そして、次に説明するように、止め板４ａの回動時には（図９に示す状態）、緩み止め用凸部４ｄは第２フレーム１２１Ｃ，１３１Ｃ，１４１Ｃ又は中間フレーム１２１ｅ，１３１ｅ，１４１ｅの下方に位置し、それらの下面に接触し、それらの下面を上方に押圧する。
【００５５】
パネル５１が支持体２に敷設されたとき、台部材５３の端部は第２フレーム１２１Ｃ，１３１Ｃ，１４１Ｃ及び中間フレーム１２１ｅ，１３１ｅ，１４１ｅに近接した状態で段部１２１ｘ，１３１ｘ，１４１ｘに載置される。そして、第２フレーム１２１Ｃ，１３１Ｃ，１４１Ｃ及び中間フレーム１２１ｅ，１３１ｅ，１４１ｅもまた段部１２１ｘ，１３１ｘ，１４１ｘに結合されている。そのため、パネル５１が支持体２に敷設されたとき、台部材５３の下面と、第２フレーム１２１Ｃ，１３１Ｃ，１４１Ｃの下面、及び中間フレーム１２１ｅ，１３１ｅ，１４１ｅの下面とは、相互に高さが一致（揃って）いる（つまり面一になっている）。
【００５６】
図１０に示す固定機構４（ア）の場合、止め板４ａは、図１０（ａ）に矢印で示すように、パネル内方側に回動されることにより、台部材５３の下方から台部材５３の周囲の空間、より詳しくは、台部材５３のパネル内方空間〜パネル前方空間に出現し、その回動端部が台部材５３のパネル前方空間に存在する第２フレーム１４１Ｃの下方に移動し、第２フレーム１４１Ｃの下面に下方から係合する（鎖線参照）。これにより、支持体２に上方から載置され、敷設されたパネル５１が、止め板４ａと第２フレーム１４１Ｃとの係合により、上方に外せなくなり、支持体２に固定される（図９参照）。
【００５７】
その場合、盛り上げ部４ｃにより、止め板４ａと台部材５３及び第２フレーム１４１Ｃとの回動時の摩擦が低減され、止め板４ａは円滑に回動する。また、上方に突出する緩み止め用凸部４ｄが第２フレーム１４１Ｃに係合して第２フレーム１４１Ｃの下面に接触し、第２フレーム１４１Ｃの下面を上方に押圧するので、止め板４ａと第２フレーム１４１Ｃとの係合の緩みが抑制される。
【００５８】
さらに、図１０（ａ）に示したように、止め板４ａの上記回動方向の先には、第３支持ユニット１４１の第１フレーム１４１Ｂの大引部１４１ｂが存在する。そのため、止め板４ａは、上記第２フレーム１４１Ｃの下面に係合した状態で上記大引部１４１ｂの側面（ユニット内方側の側面）に近接（符号Ｓ参照）することにより回動が規制される。これにより、止め板４ａが回動し過ぎて第２フレーム１４１Ｃの下面との係合が外れることが既存の大引部１４１ｂを利用して防止できる。また、この状態から止め板４ａがさらに回動されても、止め板４ａは、上記第２フレーム１４１Ｃの下面に係合した状態で上記大引部１４１ｂの側面に当接することにより回動が規制され、これによっても、止め板４ａと第２フレーム１４１Ｃの下面との係合が外れることが防止できる。
【００５９】
なお、以上は、パネル５１の前側に配置された図９の固定機構４（ア）の場合であったが、同じパネル５１の後側に配置された固定機構４についても、これと同様に、パネル５１が固定機構４で支持体２に固定される。すなわち、止め板４ａは、パネル内方側に回動されることにより、台部材５３の下方に退避している状態から台部材５３の周囲の空間、より詳しくは、台部材５３のパネル内方空間〜パネル後方空間に出現し、その回動端部が台部材５３のパネル後方空間に存在する中間フレーム１４１ｅの下方に移動し、中間フレーム１４１ｅの下面に下方から係合する。これにより、支持体２に上方から載置され、敷設されたパネル５１が、止め板４ａと中間フレーム１４１ｅとの係合により、上方に外せなくなり、支持体２に固定される（図９参照）。
【００６０】
また、以上は、第３支持ユニット１４１の左の区画領域Ｒに嵌め込まれるパネル５１の場合であったが、右の区画領域Ｒに嵌め込まれるパネル５１についても、これと同様に、パネル５１が固定機構４で支持体２に固定される。ただし、この場合は、パネル５１の前側に配置された固定機構４の止め板４ａは中間フレーム１４１ｅに係合し、パネル５１の後側に配置された固定機構４の止め板４ａは第２フレーム１４１Ｃに係合する。
【００６１】
また、以上は、第３支持ユニット１４１の場合であったが、第１支持ユニット１２１及び第２支持ユニット１３１についても、これと同様に、パネル５１が固定機構４で支持体２に固定される。
【００６２】
（２）作用等
以上、図面を参照して詳しく説明したように、本実施形態では、脚部材１１１の上に形成される支持体２にパネル５１が固定機構４により固定される。上記パネル５１の台部材５３の下面には、止め板４ａが上記台部材５３から台部材５３の周囲の空間に出現するように回動可能に設けられる。上記止め板４ａは、パネル５１が支持体２に敷設された状態で台部材５３のパネル前方空間又は後方空間に出現したときにその出現した側に存在する第２フレーム１４１Ｃ又は中間フレーム１４１ｅに下方から係合する位置に設けられる。
【００６３】
この構成によれば、止め板４ａをパネル５１に回動可能に設けるだけで、パネル５１を支持体２に敷設し、止め板４ａを台部材５３のパネル前方空間又は後方空間に出現するように回動すれば、止め板４ａが第２フレーム１４１Ｃ又は中間フレーム１４１ｅに下方から係合してパネル５１が支持体２に固定される。これにより、位置合わせすることなくパネル５１を支持体２に固定することができ、しかも構成が簡単なデッキ１のパネル固定構造が提供される。
【００６４】
なお、上記実施形態では、図１に示したように、床板部材５２の縦の長さＬ１がデッキ１の長手方向に沿うようにパネル５１を支持体２の上に敷設したが、床板部材５２及び区画領域Ｒはいずれも平面視で略正方形状であるから、支持体２に対するパネル５１の敷設方向を平面視で９０°ずらすことも可能である。つまり、床板部材５２の横の長さＬ２がデッキ１の長手方向に沿うようにパネル５１を支持体２の上に敷設してもよい。その場合においても、本発明の固定機構４は上記実施形態と同様に用いることが可能である。
【００６５】
また、上記実施形態では、第１支持ユニット１２１及び第３支持ユニット１４１の第１フレーム１２１Ａ，１４１Ａの段部１２１ｘ，１４１ｘの幅をパネル５１の台部材５３の幅と略同じに設定したが、これに限らず、上記段部１２１ｘ，１４１ｘの幅を、それ以外の段部、すなわち、第１支持ユニット１２１及び第３支持ユニット１４１の第１フレーム１２１Ｂ，１４１Ｂの段部１２１ｘ，１４１ｘ、及び第２支持ユニット１３１の第１フレーム１３１Ｂの段部１３１ｘの幅と同様に狭くしてもよい。その場合、第１支持ユニット１２１及び第３支持ユニット１４１に敷設されるパネル５１においても、固定機構４を左右双方の台部材５３に設けることができる。
【符号の説明】
【００６６】
１          デッキ
２          支持体
３          床板
４          固定機構
４ａ        止め板
４ｂ        ビス（回動軸）
４ｃ        盛り上げ部
４ｄ        緩み止め用凸部（凸部）
５１        パネル
５２        床板部材
５３        台部材
１１１      脚部材
１４１ａ，１４１ｂ  大引部（大引）
１４１Ｃ    第２フレーム（支持体構成部材、連結部材）
１４１ｅ    中間フレーム（支持体構成部材、連結部材）
１４１ｘ    段部（大引の上面）
Ｒ          区画領域
【図１】
2016044443.tif 000003
【図２】
2016044443.tif 000004
【図３】
2016044443.tif 000005
【図４】
2016044443.tif 000006
【図５】
2016044443.tif 000007
【図６】
2016044443.tif 000008
【図７】
2016044443.tif 000009
【図８】
2016044443.tif 000010
【図９】
2016044443.tif 000011
【図１０】
2016044443.tif 000012